(57)【要約】【課題】コネクタの組付け工程を減らして作業効率の向上を図ることができると共に、電線保持力の向上をも図ることができる圧接コネクタを提供する。【解決手段】圧接コネクタ１は、２種類の圧接端子５１，５３と、コネクタハウジング１０と、複数本の電線７１を保持する電線保持部材３０と、を備える。電線保持部材３０は、電線７１の圧接部分７４を位置決めする圧接部保持溝３４と、電線７１の端部７３を保持する電線先端保持穴３７と、電線７１の延出部分７５を保持する延出部保持溝３２と、を有する第１及び第２アッパーカバー３１，３３と、薄肉ヒンジ４０を介して回動自在に連結された第１及び第２アッパーカバー３１，３３がそれぞれ嵌合装着される第１及び第２カバー嵌合部２１，２３と、圧接刃５７，５９を電線７１の圧接部分７４に誘導する圧接刃誘導部２２と、を有するアンダーカバー２０と、を備える。【選択図】図１０
2020145066.tif 000002
【特許請求の範囲】
【請求項１】
圧接端子と、前記圧接端子を端子収容室に収容保持すると共に、前記端子収容室に収容保持した前記圧接端子の圧接刃が突出する保持部材嵌合部を有するコネクタハウジングと、前記保持部材嵌合部における前記圧接刃の配置に対応して電線を保持し、前記保持部材嵌合部に嵌合装着されることにより、前記電線が前記圧接刃に圧接される電線保持部材と、を備える圧接コネクタであって、
前記電線保持部材は、
圧接刃対向面に形成されて前記電線の圧接部分を位置決めする圧接部保持溝と、前記圧接部保持溝の一端側に穿設されて前記電線の端部を保持する電線先端保持穴と、前記圧接部保持溝の他端側に連通するように前記圧接刃対向面と交差する保持部材側面に形成されて前記電線の延出部分を保持する延出部保持溝と、を有するアッパーカバーと、
薄肉ヒンジを介して回動自在に連結された前記アッパーカバーが嵌合装着されるカバー嵌合部と、前記圧接刃を前記電線の圧接部分に誘導する圧接刃誘導部と、を有するアンダーカバーと、を備えており、
前記アッパーカバーが前記薄肉ヒンジを回動中心として前記電線を巻き込みながら回動されて前記カバー嵌合部に嵌合装着されることにより、前記アッパーカバーにおける前記圧接部保持溝と前記電線先端保持穴及び前記延出部保持溝との各交差エッジ部が前記電線の被覆に食い込むようにして前記電線保持部材が前記電線を保持する
ことを特徴とする圧接コネクタ。
【請求項２】
前記延出部保持溝と対向する前記カバー嵌合部には、
前記延出部保持溝に設けられたカバー側突起と協働して前記電線の延出部分を屈曲した状態に挟持するための電線保持用突起が設けられる
ことを特徴とする請求項１に記載の圧接コネクタ。
【請求項３】
複数の前記圧接端子を複数の前記端子収容室にそれぞれ収容保持すると共に、複数の前記端子収容室に収容保持した複数の前記圧接端子の圧接刃が千鳥状に突出する前記保持部材嵌合部を有する前記コネクタハウジングと、
前記保持部材嵌合部における複数の前記圧接刃の配置に対応して複数本の前記電線を並行に保持し、前記保持部材嵌合部に嵌合装着されることにより、複数本の前記電線が複数の前記圧接刃にそれぞれ圧接される前記電線保持部材と、
有底穴に穿設された前記電線先端保持穴と、
を備えることを特徴とする請求項１又は２に記載の圧接コネクタ。
【請求項４】
端子接続部の端子嵌合軸に対して異なる距離を有する平行な方向に沿って前記圧接刃がそれぞれ突出した２種類の前記圧接端子が、隣接する前記端子収容室に交互に配置される
ことを特徴とする請求項３に記載の圧接コネクタ。
【請求項５】
前記カバー嵌合部が、一体成形された仕切壁によって第１カバー嵌合部と第２カバー嵌合部とに二分割して区画形成され、
前記アッパーカバーが、前記第１カバー嵌合部に嵌合装着される第１アッパーカバーと前記第２カバー嵌合部に嵌合装着される第２アッパーカバーとに二分割して構成される
ことを特徴とする請求項３または請求項４に記載の圧接コネクタ。
【発明の詳細な説明】
【技術分野】
【０００１】
本発明は、圧接コネクタに関する。
【背景技術】
【０００２】
従来、圧接コネクタの圧接作業を効率化するために、複数本の電線を保持した電線ホルダーを複数の圧接端子を収容保持したコネクタハウジングに嵌合装着することで、これら電線と圧接端子との圧接を一括して行う圧接コネクタが種々提案されている（特許文献１参照）。
【０００３】
図１２に示すように、圧接コネクタ５２１は、収容保持した圧接端子５２９の複数の圧接刃５２９ａが突出するホルダー嵌合部５３３を備えたコネクタハウジング５２３と、複数本の被覆電線５４３をホルダー嵌合部５３３における圧接刃５２９ａの配列ピッチに対応して保持する電線ホルダー５２５とを備える。圧接コネクタ５２１は、電線ホルダー５２５をコネクタハウジング５２３に嵌合装着することで、複数本の被覆電線５４３が一括してコネクタハウジング５２３側の各圧接刃５２９ａに圧接される。電線ホルダー５２５の圧接刃対向面５４１に嵌合装着される圧接補助板５２７は、電線ホルダー５２５に保持された各被覆電線５４３の圧接部分を押圧挟持する電線押さえ部５５５と、電線ホルダー５２５を仮嵌合させた際には各圧接刃５２９ａの先端を受容し、本嵌合時には各圧接刃５２９ａを圧接部分に誘導する圧接刃誘導部５５７と、を備える。
【０００４】
即ち、圧接コネクタ５２１によれば、電線ホルダー５２５に保持させた複数本の被覆電線５４３は、該電線ホルダー５２５に圧接補助板５２７を嵌合装着することで、各電線の圧接部分が押圧挟持される為、該電線ホルダー５２５をコネクタハウジング５２３のホルダー嵌合部５３３に本嵌合させるまで、電線ホルダー５２５に保持させた被覆電線５４３の圧接部分５４３ａに浮き上がり等の位置ずれが発生することを確実に防止できる。
【先行技術文献】
【特許文献】
【０００５】
【特許文献１】特開２００４−３３５２２１号公報
【発明の概要】
【発明が解決しようとする課題】
【０００６】
ところで、上記の圧接コネクタ５２１を組立てる際には、先ず、被覆電線５４３の端部を電線ホルダー５２５の電線端保持穴に挿入し、次いで、被覆電線５４３を折り曲げて各圧接部分を圧接部保持溝に収容保持させる。
そして、電線ホルダー５２５の圧接刃対向面５４１上に別体の圧接補助板５２７を嵌合装着した後、電線ホルダー５２５の圧接部保持溝からハウジングの両側に延出している被覆電線５４３を折り曲げて、圧接部分の手前側における延出部５４３ｂを電線ホルダー５２５の延出部保持溝５４９に収容保持させる。
【０００７】
この様に上記の圧接コネクタ５２１を組立てる場合、被覆電線５４３を電線ホルダー５２５に添わせ、電線ホルダー５２５をコネクタハウジング５２３に嵌合装着するためのサブアッセンブリを完了させるまでの工程が多い。そのため、従来の圧接コネクタは組立作業性がよくなく、作業効率の低下を招いていた。
【０００８】
本発明は上記状況に鑑みてなされたもので、その目的は、コネクタの組付け工程を減らして作業効率の向上を図ることができると共に、電線保持力の向上をも図ることができる圧接コネクタを提供することにある。
【課題を解決するための手段】
【０００９】
本発明に係る上記目的は、下記構成により達成される。
（１）  圧接端子と、前記圧接端子を端子収容室に収容保持すると共に、前記端子収容室に収容保持した前記圧接端子の圧接刃が突出する保持部材嵌合部を有するコネクタハウジングと、前記保持部材嵌合部における前記圧接刃の配置に対応して電線を保持し、前記保持部材嵌合部に嵌合装着されることにより、前記電線が前記圧接刃に圧接される電線保持部材と、を備える圧接コネクタであって、
前記電線保持部材は、
圧接刃対向面に形成されて前記電線の圧接部分を位置決めする圧接部保持溝と、前記圧接部保持溝の一端側に穿設されて前記電線の端部を保持する電線先端保持穴と、前記圧接部保持溝の他端側に連通するように前記圧接刃対向面と交差する保持部材側面に形成されて前記電線の延出部分を保持する延出部保持溝と、を有するアッパーカバーと、
薄肉ヒンジを介して回動自在に連結された前記アッパーカバーが嵌合装着されるカバー嵌合部と、前記圧接刃を前記電線の圧接部分に誘導する圧接刃誘導部と、を有するアンダーカバーと、を備えており、
前記アッパーカバーが前記薄肉ヒンジを回動中心として前記電線を巻き込みながら回動されて前記カバー嵌合部に嵌合装着されることにより、前記アッパーカバーにおける前記圧接部保持溝と前記電線先端保持穴及び前記延出部保持溝との各交差エッジ部が前記電線の被覆に食い込むようにして前記電線保持部材が前記電線を保持する
ことを特徴とする圧接コネクタ。
【００１０】
上記（１）の構成の圧接コネクタによれば、圧接コネクタを組立てる際には、先ず、電線の端部をアッパーカバーの電線先端保持穴に挿入し、電線を折り曲げて電線の圧接部分をアッパーカバーの圧接部保持溝に収容保持させる。次に、一体成形された薄肉ヒンジを回動中心としてアッパーカバーをアンダーカバーに対して回動し、電線の延出部分をアッパーカバーの延出部保持溝に収容保持させながら電線を巻き込むようにしてアッパーカバーをアンダーカバーのカバー嵌合部に嵌合装着することで、電線保持部材のサブアッセンブリが完了する。
即ち、端部が電線先端保持穴に挿入された電線を巻き込むようにしてアッパーカバーを回動し、電線を圧接部保持溝及び延出部保持溝に添わせながらアッパーカバーをアンダーカバーのカバー嵌合部に嵌合装着するだけで、電線保持部材をサブアッセンブリすることができる。そこで、上記構成の圧接コネクタは、従来の圧接コネクタよりもコネクタの組付け工程を減らして作業効率を向上させることができる。
また、上記（１）の構成の圧接コネクタによれば、電線保持部材に保持された電線は、アッパーカバーにおける圧接部保持溝と、電線先端保持穴及び延出部保持溝との各交差エッジ部が電線の被覆に食い込んだ状態で保持される。そこで、圧接コネクタは、電線に引張り力が作用した際の電線保持力が向上する。
【００１１】
（２）  前記延出部保持溝と対向する前記カバー嵌合部には、
前記延出部保持溝に設けられたカバー側突起と協働して前記電線の延出部分を屈曲した状態に挟持するための電線保持用突起が設けられる
ことを特徴とする上記（１）に記載の圧接コネクタ。
【００１２】
上記（２）構成の圧接コネクタによれば、電線保持部材に保持された電線は、アッパーカバーの延出部保持溝に設けられたカバー側突起とアンダーカバーのカバー嵌合部に設けられた電線保持用突起とによって、アッパーカバーの延出部保持溝とアンダーカバーのカバー嵌合部との間で電線の延出部分が屈曲した状態に挟持される。そこで、圧接コネクタは、電線に引張り力が作用した際の電線保持力が更に向上する。
【００１３】
（３）  複数の前記圧接端子を複数の前記端子収容室にそれぞれ収容保持すると共に、複数の前記端子収容室に収容保持した複数の前記圧接端子の圧接刃が千鳥状に突出する前記保持部材嵌合部を有する前記コネクタハウジングと、
前記保持部材嵌合部における複数の前記圧接刃の配置に対応して複数本の前記電線を並行に保持し、前記保持部材嵌合部に嵌合装着されることにより、複数本の前記電線が複数の前記圧接刃にそれぞれ圧接される前記電線保持部材と、
有底穴に穿設された前記電線先端保持穴と、
を備えることを特徴とする上記（１）又は（２）に記載の圧接コネクタ。
【００１４】
上記（３）の構成の圧接コネクタによれば、電線保持部材をコネクタハウジングの保持部材嵌合部に嵌合装着することで、電線保持部材に保持された複数本の電線を一括してコネクタハウジング側の各圧接刃に圧接することができる。
更に、千鳥状に突出する複数の圧接端子の圧接刃は、アンダーカバーに千鳥状に配置された複数の圧接刃誘導部によって互いの隣接間距離が確保されてリークが防止される。又、電線先端保持穴が有底穴とされることで、電線先端保持穴にそれぞれ挿入された複数本の電線の端部に露出した芯線は、有底穴の壁で覆われてリークが防止される。そこで、互いの隣接間距離が最小限に配置された複数の圧接刃が、互いの間隔が最小限に並行に保持された複数本の電線を一括して圧接することができるコンパクトな圧接コネクタを構成できる。
【００１５】
（４）  端子接続部の端子嵌合軸に対して異なる距離を有する平行な方向に沿って前記圧接刃がそれぞれ突出した２種類の前記圧接端子が、隣接する前記端子収容室に交互に配置される
ことを特徴とする上記（３）に記載の圧接コネクタ。
【００１６】
上記（４）の構成の圧接コネクタによれば、複数の圧接端子の圧接刃を保持部材嵌合部に千鳥状に突出させると共に、コンパクトな複数列及び複数段に縦横整列配置した複数の前記端子収容室に複数の圧接端子の端子接続部をそれぞれ収容保持させることができる。そこで、複数の圧接端子が複数本の電線を圧接する構成の圧接コネクタであっても、複数の圧接刃における互いの隣接間距離を確保してリークを防止すると共に、コネクタハウジングの大型化を抑制することができる。即ち、１種類の圧接端子を用いて複数の圧接刃が保持部材嵌合部に千鳥状に突出するように複数の端子収容室に圧接端子をそれぞれ収容保持させる場合には、複数の端子収容室も千鳥状に配置しなければならず、複数の端子収容室をコンパクトに縦横整列配置することができない。そこで、１種類の圧接端子を用いて複数の圧接刃における互いの隣接間距離を確保した圧接コネクタは、コネクタハウジングが大型化してしまう可能性がある。
【００１７】
（５）  前記カバー嵌合部が、一体成形された仕切壁によって第１カバー嵌合部と第２カバー嵌合部とに二分割して区画形成され、
前記アッパーカバーが、前記第１カバー嵌合部に嵌合装着される第１アッパーカバーと前記第２カバー嵌合部に嵌合装着される第２アッパーカバーとに二分割して構成される
ことを特徴とする上記（３）または（４）に記載の圧接コネクタ。
【００１８】
上記（５）の構成の圧接コネクタによれば、アッパーカバーが第１アッパーカバーと第２アッパーカバーとに二分割して構成され、複数本の電線を第１アッパーカバーと第２アッパーカバーとにそれぞれ分割して保持させることができる。また、第１アッパーカバーと第２アッパーカバーとは、それぞれ薄肉ヒンジを回動中心としてアンダーカバーに対して独立して回動させることができる。そこで、多数の電線を電線保持部材に保持させる際にも、第１アッパーカバーと第２アッパーカバーとは、それぞれ第１カバー嵌合部と第２カバー嵌合部とに容易に嵌合装着することができ、組立作業性の低下を抑制できる。即ち、１つのアッパーカバーで構成された電線保持部材に多数の電線を保持させる場合、それぞれの端部が電線先端保持穴に挿入された多数の電線を巻き込むようにしてアッパーカバーを回動し、多数の電線を圧接部保持溝及び延出部保持溝にそれぞれ添わせながらアッパーカバーをアンダーカバーのカバー嵌合部に嵌合装着しなければならず、組立作業性が低下してしまう可能性がある。
【発明の効果】
【００１９】
本発明に係る圧接コネクタによれば、コネクタの組付け工程を減らして作業効率の向上を図ることができると共に、電線保持力の向上をも図ることができる。
【００２０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２１】
【図１】本発明の一実施形態に係る圧接コネクタの分解斜視図である。
【図２】図１に示したコネクタハウジングの斜視図であり、（ａ）は前方から見た斜視図、（ｂ）は後方から見た斜視図である。
【図３】図１に示した圧接コネクタに用いられる圧接端子の斜視図であり、（ａ）は圧接刃が端子接続部の端子嵌合軸から離れた平行な方向に沿って突出した圧接端子であり、（ｂ）は圧接刃が端子接続部の端子嵌合軸に近い平行な方向に沿って突出した圧接端子である。
【図４】（ａ）は図２に示したコネクタハウジングの正面図、（ｂ）は（ａ）におけるＡ−Ａ断面矢視図である。
【図５】図１に示した電線保持部材が電線を保持する前の斜視図である。
【図６】図５に示した電線保持部材の背面図である。
【図７】図６におけるＢ−Ｂ断面矢視図である。
【図８】（ａ）〜（ｃ）は図７に示した電線保持部材に電線を保持する手順を説明するための断面図である。
【図９】図８の（ｃ）に示した電線保持部材の要部拡大断面図である。
【図１０】コネクタハウジングに電線保持部材を嵌合装着する前の断面図である。
【図１１】図１０に示したコネクタハウジングに電線保持部材が嵌合装着された断面図である。
【図１２】従来の圧接コネクタの分解斜視図である。
【発明を実施するための形態】
【００２２】
以下、本発明に係る実施形態を、図面を参照して説明する。
図１は、本発明の一実施形態に係る圧接コネクタ１の分解斜視図である。図２の（ａ），（ｂ）は、図１に示したコネクタハウジング１０を前方から見た斜視図及び後方から見た斜視図である。図３の（ａ），（ｂ）は、図１に示した圧接コネクタ１に用いられる圧接端子５１及び圧接端子５３の斜視図である。図４の（ａ）は図２に示したコネクタハウジング１０の正面図、図４の（ｂ）は図４の（ａ）におけるＡ−Ａ断面矢視図である。
【００２３】
本実施形態に係る圧接コネクタ１は、図１に示すように、２種類の複数の圧接端子５１，５３（図４の（ａ），（ｂ）参照）と、コネクタハウジング１０と、複数本の電線７１を保持する電線保持部材３０と、を主要な構成として備える。
【００２４】
絶縁樹脂製のコネクタハウジング１０は、複数の圧接端子５１，５３を収容保持する端子収容室１６と、端子収容室１６に収容保持した圧接端子５１，５３の圧接刃５７，５９が突出する保持部材嵌合部１１（図２及び図４の（ｂ）参照）と、を有する。圧接端子５１，５３は、相手コネクタ（図示せず）との嵌合方向に沿って貫通形成された端子挿入孔１５と連通した端子収容室１６にそれぞれ嵌挿されている。コネクタハウジング１０の上面には、相手コネクタとの嵌合をロックするロックアーム１３が設けられている。
【００２５】
また、保持部材嵌合部１１の短手方向周壁（図２中、上下壁）には、電線保持部材３０を保持部材嵌合部１１に嵌入させた際に、係止突起２６を係止して電線保持部材３０を保持固定する係止孔１７が設けられている。
【００２６】
導電金属製の圧接端子５１は、図３の（ａ）に示すように、一端に相手コネクタの相手端子（図示せず）と接触することで導通を確保するばね５２を有した矩形筒状の端子接続部５５を備え、他端には被覆電線である電線７１の被覆を切断してその内部の芯線（導体）に圧接する圧接刃５７を有した電線接続部５８を備えた構成である。端子接続部５５の先端上部には、端子収容室１６内に設けられた可撓ランス１８と係止されることで圧接端子５１を保持する突起５６が設けられている。圧接刃５７は、端子接続部５５の端子嵌合軸Ｘから遠い距離Ｓ１だけ離れた平行な方向に沿って端子後方へ突出している。
【００２７】
導電金属製の圧接端子５３は、図３の（ｂ）に示すように、一端に端子接続部５５を備え、他端には圧接刃５９を有した電線接続部５８を備えた圧接端子５１と略同様の構成である。圧接刃５９は、端子接続部５５の端子嵌合軸Ｘに近い距離Ｓ２だけ離れた平行な方向に沿って端子後方へ突出している。
そして、本実施形態の圧接コネクタ１では、端子接続部５５の端子嵌合軸Ｘに対して異なる距離Ｓ１，Ｓ２を有する平行な方向に沿って圧接刃５７，５９がそれぞれ突出した２種類の圧接端子５１，５３が、隣接する端子収容室１６に上下左右に交互に収容保持される。そこで、複数の圧接刃５７，５９は、保持部材嵌合部１１に千鳥状に突出する。
【００２８】
図５及び図６は、図１に示した電線保持部材３０が電線７１を保持する前の斜視図及び背面図である。図７は、図６におけるＡ−Ａ断面矢視図である。図８の（ａ）〜（ｃ）は、図７に示した電線保持部材３０に電線７１を保持する手順を説明するための断面図である。図９は、図８の（ｃ）に示した電線保持部材３０の要部拡大断面図である。
【００２９】
電線保持部材３０は、図５〜図７に示すように、アンダーカバー２０と、第１アッパーカバー３１及び第２アッパーカバー３３と、第１アッパーカバー３１及び第２アッパーカバー３３をアンダーカバー２０に対してそれぞれ回動自在に連結する薄肉ヒンジ４０と、によって構成されている。
【００３０】
絶縁樹脂製のアンダーカバー２０は、図６及び図７に示すように、薄肉ヒンジ４０を介してそれぞれ回動自在に連結された第１アッパーカバー３１及び第２アッパーカバー３３が嵌合装着される第１カバー嵌合部２１及び第２カバー嵌合部２３を有する。第１カバー嵌合部２１及び第２カバー嵌合部２３は、アンダーカバー２０に一体成形された仕切壁２５によって上下に二分割して区画形成されている。
【００３１】
また、図７に示すように、アンダーカバー２０の内部に形成された仕切壁２５には、第１アッパーカバー３１及び第２アッパーカバー３３における後述する延出部保持溝３２にそれぞれ配索された電線７１の経路を規制する電線保持溝２７と、電線保持溝２７の後端（仕切壁２５の先端）に突設された電線保持用突起２９とが設けられている。電線保持用突起２９は、第１アッパーカバー３１及び第２アッパーカバー３３におけるそれぞれの延出部保持溝３２に設けられたカバー側突起３５と協働して電線７１の延出部分７５を屈曲した状態に挟持するため、延出部保持溝３２と対向するカバー嵌合部としての仕切壁２５に設けられている。
【００３２】
アンダーカバー２０の前壁２０ａには、図５〜図７に示すように、複数の圧接端子５１，５３の圧接刃５７，５９を電線７１の圧接部分７４に誘導する圧接刃誘導部２２が、複数の端子収容室１６の段において上下互い違いに設けられ、千鳥状に配置されている。
更に、アンダーカバー２０の前壁２０ａの内面には、第１アッパーカバー３１及び第２アッパーカバー３３における後述する圧接部保持溝３４にそれぞれ保持された電線７１の被覆と当接される電線当接面２８が設けられている。
【００３３】
アンダーカバー２０の長手方向周壁（図５中、左右壁）には、第１アッパーカバー３１及び第２アッパーカバー３３を嵌合ロックするための係止孔２４がそれぞれ設けられている。アンダーカバー２０に嵌合装着された第１アッパーカバー３１及び第２アッパーカバー３３は、左右外側面に設けられた係止突起３６が係止孔２４に係止されて、アンダーカバー２０に保持固定される。
アンダーカバー２０の短手方向周面（図５中、上下面）には、コネクタハウジング１０の係止孔１７に係止されて電線保持部材３０を保持固定するための係止突起２６が設けられている。
【００３４】
第１アッパーカバー３１及び第２アッパーカバー３３は、図７に示すように、圧接刃対向面（図７中、右側面）に形成されて電線７１の圧接部分７４を位置決めする圧接部保持溝３４と、圧接部保持溝３４の一端側に穿設されて電線７１の端部７３を保持する電線先端保持穴３７と、圧接部保持溝３４の他端側に連通するように圧接刃対向面と交差する保持部材側面に形成されて電線７１の延出部分７５を保持する延出部保持溝３２と、圧接刃５７，５９の先端が進入可能な圧接刃逃げ溝３８と、を有する。
【００３５】
電線先端保持穴３７は、貫通穴ではなく有底穴とされている。電線先端保持穴３７の断面形状は、挿入された電線７１の端部７３の被覆と当接して端部７３を保持するための電線当接面３７ａ（図９参照）が確保されれば円形に限らず、多角形等の種々の断面形状を採ることができる。
【００３６】
延出部保持溝３２には、アンダーカバー２０の仕切壁２５に設けられた電線保持用突起２９と協働して電線７１の延出部分７５を屈曲した状態に挟持するためのカバー側突起３５が設けられている。
【００３７】
第１アッパーカバー３１及び第２アッパーカバー３３は、それぞれの圧接部保持溝３４と電線先端保持穴３７の交わる角部がエッジ形状の交差エッジ部６１とされ、それぞれの圧接部保持溝３４と延出部保持溝３２の交わる角部がエッジ形状の交差エッジ部６３とされている。
【００３８】
次に、本実施形態に係る圧接コネクタ１の組立て手順を説明する。
図８の（ａ）〜（ｃ）は、図７に示した電線保持部材３０に電線７１を保持する手順を説明するための断面図である。図９は、図８の（ｃ）に示した電線保持部材３０の要部拡大断面図である。図１０は、コネクタハウジング１０に電線保持部材３０を嵌合装着する前の断面図である。図１１は、図１０に示したコネクタハウジング１０に電線保持部材３０が嵌合装着された断面図である。
【００３９】
先ず、図８の（ａ）に示すように、Ｌ字状に曲げる様にして電線７１の端部７３を電線先端保持穴３７に挿入する。
そして、図８の（ｂ）に示すように、電線７１を折り曲げて電線７１の圧接部分７４を第１アッパーカバー３１及び第２アッパーカバー３３の圧接部保持溝３４にそれぞれ収容保持させる。
【００４０】
次に、一体成形された薄肉ヒンジ４０を回動中心として第１アッパーカバー３１及び第２アッパーカバー３３をアンダーカバー２０に対してそれぞれ回動する。
そして、図８の（ｃ）に示すように、電線７１の延出部分７５を第１アッパーカバー３１及び第２アッパーカバー３３の延出部保持溝３２にそれぞれ収容保持させながら電線７１を巻き込むようにして第１アッパーカバー３１及び第２アッパーカバー３３をアンダーカバー２０の第１カバー嵌合部２１及び第２カバー嵌合部２３にそれぞれ嵌合装着することで、電線保持部材３０のサブアッセンブリが完了する。
【００４１】
この時、図９に示すように、電線保持部材３０に保持された電線７１は、端部７３が電線先端保持穴３７の電線当接面３７ａに当接し、圧接部分７４がアンダーカバー２０の電線当接面２８に当接し、延出部分７５がアンダーカバー２０の仕切壁２５に当接する。そして、電線７１は、第１アッパーカバー３１及び第２アッパーカバー３３における圧接部保持溝３４と、電線先端保持穴３７及び延出部保持溝３２との各交差エッジ部６１，６３が電線７１の被覆に食い込んだ状態で保持される。
【００４２】
更に、電線保持部材３０に保持された電線７１は、第１アッパーカバー３１及び第２アッパーカバー３３の延出部保持溝３２にそれぞれ設けられたカバー側突起３５とアンダーカバー２０のカバー嵌合部である仕切壁２５に設けられた電線保持用突起２９とによって、第１アッパーカバー３１及び第２アッパーカバー３３の延出部保持溝３２とアンダーカバー２０の仕切壁２５との間で電線７１の延出部分７５が屈曲した状態に挟持される。
【００４３】
次に、図１０に示すように、電線７１の圧接部分７４を保持した電線保持部材３０の前面が、コネクタハウジング１０の保持部材嵌合部１１に対向される。そして、電線保持部材３０が保持部材嵌合部１１に嵌合させられる。
この時、先ずは圧接端子５１，５３の圧接刃５７，５９が、アンダーカバー２０の圧接刃誘導部２２にそれぞれ進入し、圧接刃５７，５９の先端が圧接刃誘導部２２によって適正位置に支えられた状態になる。
【００４４】
次いで、図１１に示すように、電線保持部材３０がコネクタハウジング１０の保持部材嵌合部１１内に更に押し込まれることで、電線保持部材３０の保持した複数本の電線７１が、一括してコネクタハウジング１０側の各圧接端子５１，５３の圧接刃５７，５９に圧接される。これにより、圧接コネクタ１の組立てが完了する。
【００４５】
次に、上記した本実施形態に係る圧接コネクタ１の作用を説明する。
本実施形態に係る圧接コネクタ１では、圧接コネクタを１組立てる際には、先ず、電線７１の端部７３を第１アッパーカバー３１及び第２アッパーカバー３３の電線先端保持穴３７にそれぞれ挿入し、電線７１を折り曲げて電線７１の圧接部分７４を第１アッパーカバー３１及び第２アッパーカバー３３の圧接部保持溝３４にそれぞれ収容保持させる。
【００４６】
次に、一体成形された薄肉ヒンジ４０を回動中心として第１アッパーカバー３１及び第２アッパーカバー３３をアンダーカバー２０に対して回動し、電線７１の延出部分７５を第１アッパーカバー３１及び第２アッパーカバー３３の延出部保持溝３２にそれぞれ収容保持させながら電線７１を巻き込むようにして第１アッパーカバー３１及び第２アッパーカバー３３をアンダーカバー２０の第１カバー嵌合部２１及び第２カバー嵌合部２３にそれぞれ嵌合装着することで、電線保持部材３０のサブアッセンブリが完了する。
【００４７】
即ち、端部７３が電線先端保持穴３７に挿入された電線７１を巻き込むようにして第１アッパーカバー３１及び第２アッパーカバー３３を回動し、電線７１を圧接部保持溝３４及び延出部保持溝３２に添わせながら第１アッパーカバー３１及び第２アッパーカバー３３をアンダーカバー２０の第１カバー嵌合部２１及び第２カバー嵌合部２３にそれぞれ嵌合装着するだけで、電線保持部材３０をサブアッセンブリすることができる。
そこで、本実施形態の圧接コネクタ１は、図１２に示した従来の圧接コネクタ５２１よりもコネクタの組付け工程を減らして作業効率を向上させることができる。
【００４８】
また、本実施形態の圧接コネクタ１では、電線保持部材３０に保持された電線７１は、第１アッパーカバー３１及び第２アッパーカバー３３における圧接部保持溝３４と、電線先端保持穴３７及び延出部保持溝３２との各交差エッジ部６１，６３が電線７１の被覆に食い込んだ状態で保持される。そこで、圧接コネクタ１は、電線７１に引張り力が作用した際の電線保持力が向上する。
【００４９】
更に、本実施形態に係る圧接コネクタ１では、電線保持部材３０に保持された電線７１は、第１アッパーカバー３１及び第２アッパーカバー３３の延出部保持溝３２にそれぞれ設けられたカバー側突起３５とアンダーカバー２０の仕切壁２５（カバー嵌合部）に設けられた電線保持用突起２９とによって、第１アッパーカバー３１及び第２アッパーカバー３３の延出部保持溝３２とアンダーカバー２０の仕切壁２５との間で電線７１の延出部分７５が屈曲した状態に挟持される。そこで、圧接コネクタ１は、電線７１に引張り力が作用した際の電線保持力が更に向上する。
【００５０】
また、本実施形態に係る圧接コネクタ１では、電線保持部材３０をコネクタハウジング１０の保持部材嵌合部１１に嵌合装着することで、電線保持部材３０に保持された複数本の電線７１を一括してコネクタハウジング１０側の各圧接刃５７，５９に圧接することができる。
【００５１】
更に、千鳥状に突出する複数の圧接端子５１，５３の圧接刃は、アンダーカバー２０に千鳥状に配置された複数の圧接刃誘導部２２によって互いの隣接間距離が確保されてリークが防止される。又、電線先端保持穴３７が有底穴とされることで、電線先端保持穴３７にそれぞれ挿入された複数本の電線７１の端部７３に露出した芯線（導体）は、電線先端保持穴３７の壁で覆われてリークが防止される。そこで、互いの隣接間距離が最小限に配置された複数の圧接刃５７，５９が、互いの間隔が最小限に並行に保持された複数本の電線７１を一括して圧接することができるコンパクトな圧接コネクタ１を構成できる。
【００５２】
また、本実施形態に係る圧接コネクタ１では、複数の圧接端子５１，５３の圧接刃５７，５９を保持部材嵌合部１１に千鳥状に突出させると共に、コンパクトな複数列及び複数段に縦横整列配置した複数の端子収容室１６に複数の圧接端子５１，５３の端子接続部５５をそれぞれ収容保持させることができる。そこで、複数の圧接端子５１，５３が複数本の電線７１を圧接する構成の圧接コネクタ１であっても、複数の圧接刃５７，５９における互いの隣接間距離を確保してリークを防止すると共に、コネクタハウジング１０の大型化を抑制することができる。
【００５３】
即ち、１種類の圧接端子を用いて複数の圧接刃が保持部材嵌合部に千鳥状に突出するように複数の端子収容室に圧接端子をそれぞれ収容保持させる場合には、複数の端子収容室も千鳥状に配置しなければならず、複数の端子収容室をコンパクトに縦横整列配置することができない。そこで、１種類の圧接端子を用いて複数の圧接刃における互いの隣接間距離を確保した圧接コネクタは、コネクタハウジングが大型化してしまう可能性がある。
【００５４】
また、本実施形態に係る圧接コネクタ１では、アッパーカバーが第１アッパーカバー３１と第２アッパーカバー３３とに二分割して構成され、複数本の電線７１を第１アッパーカバー３１と第２アッパーカバー３３とにそれぞれ分割して保持させることができる。また、第１アッパーカバー３１と第２アッパーカバー３３とは、それぞれ薄肉ヒンジ４０を回動中心としてアンダーカバー２０に対して独立して回動させることができる。そこで、多数の電線７１を電線保持部材３０に保持させる際にも、第１アッパーカバー３１と第２アッパーカバー３３とは、それぞれ第１カバー嵌合部２１と第２カバー嵌合部２３とに容易に嵌合装着することができ、組立作業性の低下を抑制できる。
【００５５】
即ち、１つのアッパーカバーで構成された電線保持部材に多数の電線７１を保持させる場合、それぞれの端部７３が電線先端保持穴３７に挿入された多数の電線７１を巻き込むようにしてアッパーカバーを回動し、多数の電線７１を圧接部保持溝３４及び延出部保持溝３２にそれぞれ添わせながらアッパーカバーをアンダーカバーのカバー嵌合部に嵌合装着しなければならず、組立作業性が低下してしまう可能性がある。勿論、電線保持部材に保持させる電線７１が少ない場合には、電線保持部材を１つのアッパーカバーで構成することもでき、本発明の圧接コネクタには、１つのアッパーカバーで構成された電線保持部材も含まれることは云うまでもない。
【００５６】
上述したように、本実施形態に係る圧接コネクタ１によれば、コネクタの組付け工程を減らして作業効率の向上を図ることができると共に、電線保持力の向上をも図ることができる。
【００５７】
尚、本発明は、上述した実施形態に限定されるものではなく、適宜、変形、改良などが可能である。その他、上述した実施形態における各構成要素の材質、形状、寸法、数、配置箇所などは本発明を達成できるものであれば任意であり、限定されない。
例えば、上記実施形態では、複数の圧接端子５１，５３を相手コネクタの複数の相手端子に接続する圧接コネクタ１を例に説明した。しかしながら、本発明の圧接コネクタはこれに限らず、並設された複数の圧接刃を有する１つの圧接端子をコネクタハウジング内に収容し、複数本の電線と一括して圧接することで複数本の電線を導通させるジョイントコネクタ等に構成することもできる。
【００５８】
ここで、上述した本発明に係る圧接コネクタの実施形態の特徴をそれぞれ以下［１］〜［５］に簡潔に纏めて列記する。
［１］  圧接端子（５１，５３）と、前記圧接端子を端子収容室（１６）に収容保持すると共に、前記端子収容室に収容保持した前記圧接端子の圧接刃（５７，５９）が突出する保持部材嵌合部（１１）を有するコネクタハウジング（１０）と、前記保持部材嵌合部における前記圧接刃の配置に対応して電線（７１）を保持し、前記保持部材嵌合部に嵌合装着されることにより、前記電線が前記圧接刃に圧接される電線保持部材（３０）と、を備える圧接コネクタであって、
前記電線保持部材（３０）は、
圧接刃対向面に形成されて前記電線の圧接部分（７４）を位置決めする圧接部保持溝（３４）と、前記圧接部保持溝の一端側に穿設されて前記電線の端部（７３）を保持する電線先端保持穴（３７）と、前記圧接部保持溝の他端側に連通するように前記圧接刃対向面と交差する保持部材側面に形成されて前記電線の延出部分（７５）を保持する延出部保持溝（３２）と、を有するアッパーカバー（第１アッパーカバー３１及び第２アッパーカバー３３）と、
薄肉ヒンジ（４０）を介して回動自在に連結された前記アッパーカバー（第１アッパーカバー３１及び第２アッパーカバー３３）が嵌合装着されるカバー嵌合部（第１カバー嵌合部２１及び第２カバー嵌合部２３）と、前記圧接刃を前記電線の圧接部分に誘導する圧接刃誘導部（２２）と、を有するアンダーカバー（２０）と、を備えており、
前記アッパーカバー（第１アッパーカバー３１及び第２アッパーカバー３３）が前記薄肉ヒンジ（４０）を回動中心として前記電線（７１）を巻き込みながら回動されて前記カバー嵌合部（第１カバー嵌合部２１及び第２カバー嵌合部２３）に嵌合装着されることにより、前記アッパーカバーにおける前記圧接部保持溝（３４）と前記電線先端保持穴（３７）及び前記延出部保持溝（３２）との各交差エッジ部（６１,６３）が前記電線の被覆に食い込むようにして前記電線保持部材（３０）が前記電線を保持する
ことを特徴とする圧接コネクタ（１）。
［２］  前記延出部保持溝（３２）と対向する前記カバー嵌合部（第１カバー嵌合部２１及び第２カバー嵌合部２３を二分割して区画形成する仕切壁２５）には、
前記延出部保持溝（３２）に設けられたカバー側突起（３５）と協働して前記電線７１の延出部分（７５）を屈曲した状態に挟持するための電線保持用突起（２９）が設けられる
ことを特徴とする上記［１］に記載の圧接コネクタ（１）。
［３］  複数の前記圧接端子（５１,５３）を複数の前記端子収容室（１６）にそれぞれ収容保持すると共に、複数の前記端子収容室に収容保持した複数の前記圧接端子の圧接刃（５７，５９）が千鳥状に突出する前記保持部材嵌合部（１１）を有する前記コネクタハウジング（１０）と、
前記保持部材嵌合部（１１）における複数の前記圧接刃（５７，５９）の配置に対応して複数本の前記電線（７１）を並行に保持し、前記保持部材嵌合部に嵌合装着されることにより、複数本の前記電線が複数の前記圧接刃にそれぞれ圧接される前記電線保持部材（３０）と、
有底穴に穿設された前記電線先端保持穴（３７）と、
を備えることを特徴とする上記［１］又は［２］に記載の圧接コネクタ（１）。
［４］  端子接続部（５５）の端子嵌合軸（Ｘ）に対して異なる距離（Ｓ１，Ｓ２）を有する平行な方向に沿って前記圧接刃（５７，５９）がそれぞれ突出した２種類の前記圧接端子（５１,５３）が、隣接する前記端子収容室（１６）に交互に配置される
ことを特徴とする上記［３］に記載の圧接コネクタ（１）。
［５］  前記カバー嵌合部が、一体成形された仕切壁（２５）によって第１カバー嵌合部（２１）と第２カバー嵌合部（２３）とに二分割して区画形成され、
前記アッパーカバーが、前記第１カバー嵌合部（２１）に嵌合装着される第１アッパーカバー（３１）と前記第２カバー嵌合部（２３）に嵌合装着される第２アッパーカバー（３３）とに二分割して構成される
ことを特徴とする上記［３］または［４］に記載の圧接コネクタ（１）。
【符号の説明】
【００５９】
１…圧接コネクタ
１０…コネクタハウジング
１１…保持部材嵌合部
１６…端子収容室
２１…第１カバー嵌合部
２３…第２カバー嵌合部
３０…電線保持部材
３１…第１アッパーカバー（アッパーカバー）
３２…延出部保持溝
３３…第２アッパーカバー（アッパーカバー）
３４…圧接部保持溝
３７…電線先端保持穴
４０…薄肉ヒンジ
５１，５３…圧接端子
５７，５９…圧接刃
７１…電線
７３…端部
７４…圧接部分
７５…延出部分
【図１】
2020145066.tif 000003
【図２】
2020145066.tif 000004
【図３】
2020145066.tif 000005
【図４】
2020145066.tif 000006
【図５】
2020145066.tif 000007
【図６】
2020145066.tif 000008
【図７】
2020145066.tif 000009
【図８】
2020145066.tif 000010
【図９】
2020145066.tif 000011
【図１０】
2020145066.tif 000012
【図１１】
2020145066.tif 000013
【図１２】
2020145066.tif 000014